(57)【要約】  【課題】  鼻腔内壁に塗布して花粉等を吸着するための用剤を、鼻腔内に直接かつ均一に塗布し、それにより花粉症等の鼻アレルギーをより確実に防止することのできる用具を提供する。  【解決手段】  スティック状アプリケーター部１１と保持部１２から成る鼻腔内壁塗布用鼻アレルギー防止スティック１０で、内部の空洞に、鼻腔内壁塗布剤であるワセリン等の鼻腔内壁塗布剤１４が収納されている。保持部１２を親指と中指で持ってアプリケーター部１１を鼻孔内に入れ、保持部１２の下から人差し指を入れてピストン１３を少しずつ押して行く。これにより、小孔１５から鼻腔内壁塗布剤がしみ出す。こうして少しずつ鼻腔内壁塗布剤をしみ出させつつ、アプリケーター部１１を鼻腔内壁に沿って移動させることにより、鼻腔内壁に鼻腔内壁塗布剤を塗布することができる。【選択図】  図１
2006247037.tif 000002
【特許請求の範囲】
【請求項１】
径が人間の鼻孔の径程度又はそれ以下であって先端部分に１つ以上の孔を有する金属製又は樹脂製のスティック状アプリケーターと、その中に収納された鼻腔内壁塗布剤と、該鼻腔内壁塗布剤を前記孔から押し出すための機構を備えることを特徴とする鼻腔内壁塗布用鼻アレルギー防止スティック。
【請求項２】
繰り出し可能な容器に収納されていることを特徴とする請求項１に記載の鼻腔内壁塗布用鼻アレルギー防止スティック。
【発明の詳細な説明】
【技術分野】
【０００１】
本発明は、花粉やハウスダスト、ダニ、ペットなどによる鼻アレルギーの発生を予防するための用具に関する。
【背景技術】
【０００２】
近年、花粉症は社会的にも大きな問題となっているが、従来、花粉症等の鼻アレルギー疾患を予防するための方法として、（１）鼻を覆うマスク等を装着することにより花粉等の鼻腔内への侵入を防止する方法、（２）抗アレルギー剤を予め服用しておく方法、等が知られている。
【０００３】
しかし、（１）の方法では鼻全体をマスク等で覆うため、呼吸がやや困難となるという問題がある。また、（２）の方法では、例えば抗ヒスタミン作用をもつ抗アレルギー剤を服用すると眠気が発生する他、薬剤の服用には必ず何らかの副作用が発生する可能性を排除することができないという問題がある。また、一般的に内服薬の場合にはその薬効が現れるまでにある程度の時間が必要となるため、花粉症防止薬の場合は花粉飛散時期が到来する前に服用を始めなければならないが、花粉飛散時期の到来が不明確な場合には相当前から服用しなければならないという問題もある。
【０００４】
これらの問題点を回避する花粉症予防法として、特許文献１には、鼻腔内に用剤を塗布することにより花粉をそこに吸着させるという方法が記載されている。
【特許文献１】特開2004-256489号公報
【発明の開示】
【発明が解決しようとする課題】
【０００５】
用剤を鼻腔内に塗布する方法として、特許文献１には、綿棒の先に付けて塗布する方法、塗布部を備えたチューブの吐出口に適量の軟膏を出し留め、それを鼻腔内に挿入して鼻腔内壁に付着させる方法、用剤をスティック状として鼻腔内に挿入して塗布する方法が記載されている。
【０００６】
綿棒を用いて塗布する方法では、塗布のたびに綿棒を用意しなければならないため、出先などで簡単に塗布することができない。また、そのような状況では、たとえ綿棒を使うことができたとしても、使用済みの綿棒の処理に困ることとなる。
【０００７】
また、軟膏を用いる方法は、特許文献１では具体的には、軟膏を鼻腔内壁に付着させた後、塗布部を鼻腔から引き出し、鼻腔外壁を指で押さえることで、毛管現象により鼻腔内壁に均一に塗布すると記載されている。しかしこの方法は鼻腔内各部に直接塗布してゆくものではないため、鼻腔内壁の全域に塗布することが難しく十分な花粉防止効果が得られない可能性がある。また、最初にチューブから出しておくべき量が不明確であり、適量の使用が難しい。
【０００８】
さらに、スティック状にして鼻腔内に挿入し塗布する方法では、塗布量が不十分となりやすい。すなわち、鼻孔内に吸引される花粉等を十分に捕捉するためには、十分な量の用剤を鼻腔内壁に塗布しておく必要があるが、単にスティックで塗布する程度では十分な膜厚を形成することは難しい。また、スティックの強度に関する問題もある。塗布量を十分に確保するためには用剤の量を増やす必要があるが、そうするとスティックが柔らかくなり、折れやすくなる。折れないようにするためにスティックを硬くすると、十分な塗布量を確保することが難しい。
【０００９】
本発明は、用剤を鼻腔内に直接かつ均一に塗布し、それにより花粉症等の鼻アレルギーをより確実に防止することのできる用具を提供するものである。
【課題を解決するための手段】
【００１０】
上記課題を解決するために成された本発明に係る鼻腔内壁塗布用鼻アレルギー防止スティックは、径が人間の鼻孔の径程度又はそれ以下であって先端部分に１つ以上の孔を有する金属製又は樹脂製のスティック状アプリケーターと、その中に収納された鼻腔内壁塗布剤と、該鼻腔内壁塗布剤を前記孔から押し出すための機構を備えることを特徴とする。
【００１１】
この鼻腔内壁塗布用鼻アレルギー防止スティックのスティック状アプリケーターは、繰り出し可能な容器に収納することにより、より好適に使用することができる。
【００１２】
この繰り出し可能な容器は、回転により繰り出し可能なものでも、押し出しにより繰り出し可能なものでもよい。
【００１３】
鼻腔内壁塗布剤としては、鼻腔内壁に塗布したときに、体内に吸収されることが少なく、しかも、鼻孔内に吸引されてくる或いは侵入してくる花粉やハウスダスト等の粉体物を吸着し、保持する用剤を用いる。そのような用剤の代表的なものとしては、ワセリンを好適に用いることができる。
【００１４】
本発明の鼻腔内壁塗布用鼻アレルギー防止スティックで用いるスティック状アプリケーターの材料には、ポリプロピレンやアクリル等の多くの日用品に使用される樹脂、或いは、アルミニウム、ステンレス等の金属を用いることができる。これらは、人間の鼻孔の径程度又はそれ以下の太さとした時、十分その形が保持でき、且つ、鼻腔内壁に押しつけたときに大きくは変形しない程度の厚さとすればよい。なお、人間の鼻孔の径の大きさはもちろん人により異なるが、スティック状アプリケーターの径を5〜8mm程度としておくことにより、ほとんどの人にとって利用可能となる。
【発明の効果】
【００１５】
本発明に係る鼻腔内壁塗布用鼻アレルギー防止スティックのスティック状アプリケーターは、これを鼻孔内に挿入し、押し出し機構を用いて鼻腔内壁塗布剤を孔から出しつつアプリケーターを鼻腔内壁に沿って移動させることにより、上記同様、鼻腔内壁塗布剤を鼻腔内壁の全面に塗布することができる。これにより、鼻腔内壁塗布剤が鼻腔内壁を蔽ってバリア層を形成し、かつ、鼻腔内に吸引される花粉等を確実に吸着し、アレルギー原因物質が体内に吸収されることを防止することができる。ここで、アプリケーター内に入れる鼻腔内壁塗布剤に硬化剤を混入させておくこともできる。こうすることにより、塗布後の捕集効果の持続性を向上させることができる。
【００１６】
本発明に係る鼻腔内壁塗布用鼻アレルギー防止スティックは携帯性に優れており、カバンやポーチ、ポケット等に入れて持ち運び、どこでも簡単に使用することができる。また、使用後に何らかの不要物が生じることもない。更に、塗布剤の使用量は常に適度な量とすることができ、無駄がない。
【実施例】
【００１７】
［第１実施例］
本発明の第１の実施例を図１を用いて説明する。本実施例の鼻腔内壁塗布用鼻アレルギー防止スティック１０はスティック状アプリケーター部１１と保持部１２から成るが、両者は固定されており、内部は共通の空洞になっている。その空洞は、保持部１２の下端に設けられたピストン１３により閉塞され、その内部には鼻腔内壁塗布剤１４が収納されている。鼻腔内壁塗布剤１４としては、ワセリン、又はそれに硬化剤を配合したもの、或いは更に、他の目的のための種々の薬剤（例えばユーカリ、ティートリー、ペパーミント等の精油）を配合したもの等を用いることができる。ピストン１３は、下方から指で押しやすいように、また、上方においてアプリケーター部１１の先端に鼻腔内壁塗布剤１４が残らないように、上に凸の形状をなしている。アプリケーター部１１の先端から少なくとも10〜20mm程度の部分には、多数の小孔１５が設けられている。鼻腔内壁塗布剤１４が鼻孔内の奥の方に射出されることを防止するため、最先端には小孔１５を設けないことが望ましい。この鼻腔内壁塗布用鼻アレルギー防止スティック１０にはキャップ１６が設けられており、このキャップ１６をアプリケーター部１１にかぶせたとき、キャップ１６と保持部１２はスムーズに接続するようになっている。
【００１８】
本実施例の鼻腔内壁塗布用鼻アレルギー防止スティック１０の使用方法は次の通りである。保持部１２を親指と中指で持ってスティック状アプリケーター部１１を鼻孔内に入れ、保持部１２の下から人差し指を入れてピストン１３を少しずつ押して行く。これにより、小孔１５から鼻腔内壁塗布剤がしみ出す。こうして少しずつ鼻腔内壁塗布剤をしみ出させつつ、アプリケーター部１１を鼻腔内壁に沿って移動させることにより、鼻腔内壁に鼻腔内壁塗布剤を塗布することができる。塗布した後は、アプリケーター部１１にキャップ１６をかぶせる。
【００１９】
なお、上記実施例では空洞内の鼻腔内壁塗布剤１４をピストン１３でまっすぐに押し出すようにしたが、ピストン１３をネジ式等にして、繰り出しで鼻腔内壁塗布剤１４を押し出すようにしてもよい。
【００２０】
［第２実施例］
本発明の第２の実施例を図２を用いて説明する。本実施例の鼻腔内壁塗布用鼻アレルギー防止スティック２０のスティック状アプリケーター部２１は、図２(a)に示すように、先端を丸くした筒状のケース２２内に前記鼻腔内壁塗布剤を収納したものである。ケース２２の先端部分には、多数の小孔２３が設けられている。上記実施例の場合と同様、小孔２３は、先端から少なくとも10〜20mm程度の部分に設けることが望ましく、また、塗布剤が鼻孔内の奥の方に射出されることを防止するため、最先端には設けないことが望ましい。ケース２２は、従来の口紅等で用いられているものと同様の繰り出し機構（図示せず）により基礎ケース２４内に収納可能となっている。基礎ケース２４の側部には、ゴム製の押圧部２５が設けられている。
【００２１】
なお、アプリケーター部２１の形状は、図２(c)に示すようなテーパー状であってもよいし、その他の形状であってもよい。
【００２２】
本実施例の鼻腔内壁塗布用鼻アレルギー防止スティック２０の使用方法は次の通りである。基礎ケース２４の下方の回転部２６を回すことによりスティック状アプリケーター部２１を基礎ケース２４から繰り出してゆく。露出部分が適度の長さになったところで繰り出しを止め、基礎ケース２４の側部の押圧部２５を指で押す。これによりケース２２内部の圧力が高まり、小孔２３から内部の鼻腔内壁塗布剤がしみ出す。こうして少しずつ鼻腔内壁塗布剤をしみ出させつつ、アプリケーター部２１を鼻腔内壁に沿って移動させることにより、鼻腔内壁に鼻腔内壁塗布剤を塗布することができる。塗布した後は、回転部２６を逆に回すことにより図２(b)に示すようにアプリケーター部２１を基礎ケース２４内に収納し、キャップ２７をかぶせる。
【００２３】
以上、いずれの実施例の場合でも、小孔２３の大きさを十分小さくしておけば、内部の鼻腔内壁塗布剤の表面張力により、鼻腔内壁塗布剤が自然に外部にしみ出してくることはない。しかし、鼻腔内壁塗布剤に適量の硬化剤を配合しておき、小孔１３、２３をやや大きくするようにしてもよい。
【図面の簡単な説明】
【００２４】
【図１】本発明の第１実施例である鼻腔内壁塗布用鼻アレルギー防止スティックの一部断面図を含む側面図。
【図２】本発明の第２実施例である鼻腔内壁塗布用鼻アレルギー防止スティックの側面図であり、(a)はスティック状アプリケーター部を繰り出した状態、(b)はスティック状アプリケーター部を基礎ケースに収納した状態、(c)はスティック状アプリケーター部を他の形状とした例を示す。
【符号の説明】
【００２５】
１０、２０…鼻腔内壁塗布用鼻アレルギー防止スティック
１１、２１…スティック状アプリケーター部
１２…保持部
１３…ピストン
１４…鼻腔内壁塗布剤
１５、２３…小孔
１６、２７…キャップ
２２…ケース
２４…基礎ケース
２５…押圧部
２６…回転部
【図１】
2006247037.tif 000003
【図２】
2006247037.tif 000004